(57)【要約】  【課題】  ディスプレイを備えることなしに使用者の気分又は状況に応じた音楽を容易な操作で再生することが可能となる携帯型音楽再生装置及び音楽再生システムを提供する。  【解決手段】  ＰＣ等の転送装置は、曲調の明暗及びテンポの遅速に基づいて複数の音楽データを複数のグループのいずれかへ分類し、各グループに含まれる音楽データを指定するリスト情報を作成し、音楽データ及びリスト情報を携帯型音楽再生装置１へ転送する。携帯型音楽再生装置１は、押下ボタン（スイッチ）４１，…，４５を備え、転送されたリスト情報の夫々を押下ボタンのいずれかに対応させて記憶する。使用者がいずれかの押下ボタンを操作した場合、携帯型音楽再生装置１は、操作された押下ボタンに対応するリスト情報が指定する音楽データを順次再生する。【選択図】        図２
2006244651.tif 000002
【特許請求の範囲】
【請求項１】
複数の音楽データを記憶する記憶手段と、該記憶手段が記憶する音楽データを再生する再生手段とを備える携帯型音楽再生装置において、
複数のスイッチと、
前記記憶手段が記憶している一又は複数の特定の音楽データを指定する複数のリスト情報の夫々を、複数の前記スイッチのいずれかに対応させて記憶するリスト情報記憶手段と、
一の前記スイッチが操作された場合に、当該スイッチに対応させて前記リスト情報記憶手段が記憶しているリスト情報が指定する音楽データを前記再生手段で再生すべく設定する手段と
を備えることを特徴とする携帯型音楽再生装置。
【請求項２】
音楽データを再生する再生手段を備える携帯型音楽再生装置と、該携帯型音楽再生装置へ音楽データを転送する転送装置とを含む音楽再生システムにおいて、
前記転送装置は、
複数の音楽データを記憶する手段と、
該手段が記憶する複数の音楽データを、各音楽データの特徴に応じて複数のグループへ分類する分類手段と、
該分類手段が分類した前記複数のグループの夫々について、前記分類手段が特定のグループへ分類した一又は複数の特定の音楽データを指定するリスト情報を作成する手段と、
前記複数の音楽データ、及び複数の前記リスト情報を前記携帯型音楽再生装置へ転送する転送手段とを備え、
前記携帯型音楽再生装置は、
複数のスイッチと、
前記転送装置から転送された前記複数の音楽データを記憶する記憶手段と、
前記転送装置から転送された複数の前記リスト情報の夫々を、複数の前記スイッチのいずれかに対応させて記憶するリスト情報記憶手段と、
一の前記スイッチが操作された場合に、当該スイッチに対応させて前記リスト情報記憶手段が記憶しているリスト情報が指定する音楽データを前記再生手段で再生すべく設定する手段と
を備えることを特徴とする音楽再生システム。
【請求項３】
前記分類手段は、前記複数の音楽データの夫々を、曲調の明暗及びテンポの遅速に基づいて複数のグループのいずれかへ分類するように構成してあることを特徴とする請求項２に記載の音楽再生システム。
【請求項４】
前記転送装置は、
前記複数の音楽データの内の任意の音楽データの選択を受け付ける手段と、
該手段が選択を受け付けた音楽データを指定するリスト情報を作成する選択リスト作成手段とを更に備え、
前記転送手段は、前記選択リスト作成手段が作成した前記リスト情報をも前記携帯型音楽再生装置へ転送するように構成してあること
を特徴とする請求項２又は３に記載の音楽再生システム。
【発明の詳細な説明】
【技術分野】
【０００１】
本発明は、記憶している音楽データを再生する携帯型音楽再生装置に関し、より詳しくは、簡単な操作で選曲を行うことができる携帯型音楽再生装置及び音楽再生システムに関する。
【背景技術】
【０００２】
従来、磁気テープ又は光ディスク等の記録媒体に記録された音楽データを再生する携帯型音楽再生装置が普及している。更に近年では、ハードディスク又は半導体メモリ等の記憶手段を内部に備え、デジタルの音楽データを記憶手段で記憶する携帯型音楽再生装置が普及している。このような携帯型音楽再生装置を利用する場合は、通常、パーソナルコンピュータ（ＰＣ）等の情報処理装置で作成した音楽データ、又は通信ネットワークを用いて情報処理装置へ配信された音楽データ等を情報処理装置から携帯型音楽再生装置へ転送し、携帯型音楽再生装置は、転送された音楽データを記憶手段で記憶し、必要に応じて記憶している音楽データに基づいて音楽を再生する。またこのような携帯型音楽再生装置は、通常は液晶ディスプレイ等の小型のディスプレイを備え、再生すべき音楽を選択するために必要な曲名等の情報をディスプレイに表示し、使用者はディスプレイに表示された情報を確認しながら携帯型音楽再生装置を操作して選曲を行う。
【０００３】
記録容量及び大きさが定められている磁気テープ等の記録媒体と異なり、ハードディスク又は半導体メモリ等の記憶手段は大容量化及び小型化の推進が可能であるので、より小型でより大量の音楽データを記憶することができる携帯型音楽再生装置を開発することが可能となっている。特に記憶媒体として半導体メモリを用いた携帯型音楽再生装置は、ハードディスクを用いた携帯型音楽再生装置に比べて記憶容量が小さいながらも一層の小型軽量化が可能となっている。
【特許文献１】特開２００４−１４５３８８号公報
【発明の開示】
【発明が解決しようとする課題】
【０００４】
しかしながら、携帯型音楽再生装置の小型軽量化は、携帯型音楽再生装置を携帯する上での利便性を向上させる反面、ディスプレイの大きさが小さくなるので、ディスプレイに表示される文字が小さくなるか又は表示される情報量が減少し、選曲のために使用者が行う操作がより困難になるという問題がある。また記憶手段の大容量化に伴って携帯型音楽再生装置が記憶している曲数が膨大になっているので、膨大な数の音楽の中から使用者が所望の音楽を選択する手間が増え、より選曲が困難になっているという問題がある。最近では、ディスプレイを備えずにスイッチ操作だけで音楽の再生を可能とした携帯型音楽再生装置も開発されているが、使用者がその時々の気分や状況に応じた所望の曲を選曲することができないという問題がある。
【０００５】
本発明は、斯かる事情に鑑みてなされたものであって、その目的とするところは、ディスプレイを備えることなしに使用者の気分又は状況に応じた音楽を容易な操作で再生することが可能となる携帯型音楽再生装置及び音楽再生システムを提供することにある。
【課題を解決するための手段】
【０００６】
本発明に係る携帯型音楽再生装置は、複数の音楽データを記憶する記憶手段と、該記憶手段が記憶する音楽データを再生する再生手段とを備える携帯型音楽再生装置において、複数のスイッチと、前記記憶手段が記憶している一又は複数の特定の音楽データを指定する複数のリスト情報の夫々を、複数の前記スイッチのいずれかに対応させて記憶するリスト情報記憶手段と、一の前記スイッチが操作された場合に、当該スイッチに対応させて前記リスト情報記憶手段が記憶しているリスト情報が指定する音楽データを前記再生手段で再生すべく設定する手段とを備えることを特徴とする。
【０００７】
本発明においては、音楽データを記憶する携帯型音楽再生装置は、複数のスイッチを備え、特定の音楽データを指定するリスト情報を、複数のスイッチのいずれかに対応させて記憶する。使用者がいずれかのスイッチを操作した場合、携帯型音楽再生装置は、操作されたスイッチに対応するリスト情報が指定する音楽データを再生する。
【０００８】
本発明に係る音楽再生システムは、音楽データを再生する再生手段を備える携帯型音楽再生装置と、該携帯型音楽再生装置へ音楽データを転送する転送装置とを含む音楽再生システムにおいて、前記転送装置は、複数の音楽データを記憶する手段と、該手段が記憶する複数の音楽データを、各音楽データの特徴に応じて複数のグループへ分類する分類手段と、該分類手段が分類した前記複数のグループの夫々について、前記分類手段が特定のグループへ分類した一又は複数の特定の音楽データを指定するリスト情報を作成する手段と、前記複数の音楽データ、及び複数の前記リスト情報を前記携帯型音楽再生装置へ転送する転送手段とを備え、前記携帯型音楽再生装置は、複数のスイッチと、前記転送装置から転送された前記複数の音楽データを記憶する記憶手段と、前記転送装置から転送された複数の前記リスト情報の夫々を、複数の前記スイッチのいずれかに対応させて記憶するリスト情報記憶手段と、一の前記スイッチが操作された場合に、当該スイッチに対応させて前記リスト情報記憶手段が記憶しているリスト情報が指定する音楽データを前記再生手段で再生すべく設定する手段とを備えることを特徴とする。
【０００９】
また本発明においては、ＰＣ等の転送装置は、複数の音楽データを、各音楽データの特徴に応じて複数のグループへ分類し、グループに含まれる音楽データを指定するリスト情報を各グループについて作成し、音楽データ及びリスト情報を携帯型音楽再生装置へ転送する。携帯型音楽再生装置は、転送された複数のリスト情報の夫々を、複数のスイッチのいずれかに対応させて記憶する。
【００１０】
本発明に係る音楽再生システムは、前記分類手段は、前記複数の音楽データの夫々を、曲調の明暗及びテンポの遅速に基づいて複数のグループのいずれかへ分類するように構成してあることを特徴とする。
【００１１】
また本発明においては、転送装置は、複数の音楽データの夫々を、曲調の明暗及びテンポの遅速に基づいて複数のグループのいずれかへ分類する。音楽データは、曲調が明るくてテンポが遅い曲のグループと、曲調が明るくてテンポが速い曲のグループと、曲調が暗くてテンポが遅い曲のグループと、曲調が暗くてテンポが速い曲のグループとに分類され、携帯型音楽再生装置は、各グループに分類された音楽データを指定するリスト情報を各スイッチに対応させて記憶する。
【００１２】
本発明に係る音楽再生システムは、前記転送装置は、前記複数の音楽データの内の任意の音楽データの選択を受け付ける手段と、該手段が選択を受け付けた音楽データを指定するリスト情報を作成する選択リスト作成手段とを更に備え、前記転送手段は、前記選択リスト作成手段が作成した前記リスト情報をも前記携帯型音楽再生装置へ転送するように構成してあることを特徴とする。
【００１３】
更に本発明においては、転送装置は、任意の音楽データの選択を受け付け、選択された音楽データを指定するリスト情報を作成して携帯型音楽再生装置へ転送し、携帯型音楽再生装置は、転送されたリスト情報を一のスイッチに対応させて記憶する。
【発明の効果】
【００１４】
本発明にあっては、転送装置で複数の音楽データを特徴に応じて分類し、分類した特定の音楽データを指定する複数のリスト情報及び音楽データを転送装置から携帯型音楽再生装置へ転送し、携帯型音楽再生装置では、備えている複数のスイッチのいずれかに各リスト情報を対応させて記憶しておき、使用者がいずれかのスイッチを操作することでスイッチに対応したリスト情報が指定する音楽データが再生されるので、携帯型音楽再生装置は選曲用のディスプレイを備えることなく、使用者がいずれかのスイッチを操作することで気分又は状況に応じた音楽を容易な操作で再生することが可能となる。携帯型音楽再生装置では、ディスプレイを備える必要がないので、小型軽量化及びコストの低下を実現することができる。またディスプレイを駆動するための電力が削減されるので、携帯型音楽再生装置では、電力容量を下げたより小型又は低コストな電池を利用することによって更なる小型軽量化又はコストの低下を実現することもできる。またディスプレイを駆動するための電力が削減されることによって、携帯型音楽再生装置の動作時間を従来よりも長時間にすることもできる。更に携帯型音楽再生装置は、選曲のための操作が容易であるので、電子機器の操作に不慣れな使用者でも操作にストレスを覚えることなく使用することができる。
【００１５】
また本発明にあっては、複数の音楽データの夫々を、曲調の明暗及びテンポの遅速に基づいて複数のグループのいずれかへ分類しておき、使用者が携帯型音楽再生装置の複数のスイッチのいずれかを操作することでスイッチに対応したグループに含まれる音楽データが再生されるので、使用者は、気分が陽気なときには気分に応じたスイッチを操作することによって陽気な気分にあった曲調が明るくてテンポが速い曲を鑑賞することができる等、使用者の気分又は状況に応じた音楽を容易な操作で選曲して再生することが可能となる。
【００１６】
また本発明にあっては、使用者が個々に選択しておいた音楽データを指定するリスト情報を一のスイッチに対応させておき、使用者が携帯型音楽再生装置の前記スイッチを操作することで前記リスト情報が指定する音楽データが再生されるので、使用者は、好みの音楽データを予め選択しておくことによって、好みの音楽を容易な操作で選曲して鑑賞することが可能となる等、本発明は優れた効果を奏する。
【発明を実施するための最良の形態】
【００１７】
以下本発明をその実施の形態を示す図面に基づき具体的に説明する。
図１は、本発明の携帯型音楽再生装置を含む本発明のデータ転送システムの内部構成を示すブロック図である。携帯型音楽再生装置１は、演算を行うプロセッサ、制御プログラムを記憶するＲＯＭ、及びＲＡＭ等からなる制御部１１を備え、制御部１１は携帯型音楽再生装置１全体の動作を制御する構成となっている。制御部１１には、ハードディスク又は半導体メモリ等でなる記憶部（記憶手段）１２が接続されており、記憶部１２は、ＭＰ３（MPEG-1 Audio Layer-3）ファイル等のデジタルデータである複数の音楽データを記憶する構成となっている。記憶部１２は、また、特定の音楽データを指定するリスト情報を記憶する構成となっており、本発明に係るリスト情報記憶手段として機能する。記憶部１２は、携帯型音楽再生装置１の小型軽量化のためには半導体メモリでなることが望ましい。
【００１８】
また制御部１１には、ＭＰ３ファイル等の音楽データをデコードする処理を行うデータ処理部１４と、データ処理部１４がデコードした音楽データをＤＡ変換して外部へ出力する出力部１５とが接続されている。出力部１５にはヘッドフォン１６が接続可能であり、ヘッドフォン１６を用いて音楽が再生される。このようにして、データ処理部１４及び出力部１５は、本発明に係る再生手段として機能する。また制御部１１には、使用者の操作によって演奏の開始指示等の各種の指示が入力される操作部１３が接続されている。更に制御部１１には、携帯型音楽再生装置１外の機器との間でデータを送受信するインタフェース部１７が接続されている。携帯型音楽再生装置１は、図示しない電池を備え、電池から電力を供給されて各部分が駆動している。
【００１９】
本発明に係る転送装置２は、ＰＣ等のコンピュータを用いて構成されており、演算を行うＣＰＵ２１と、演算に伴って発生する一時的な情報を記憶するＲＡＭ２２と、音楽データを記録したＣＤ又はＤＶＤ等の記録媒体を受け付けるドライブ部２３と、ハードディスク等の記憶部２４とを備えている。記憶部２４は、ＣＤ−ＲＯＭ等の記録媒体からドライブ部２３が読み取ったコンピュータプログラムを記憶している。コンピュータプログラムは、必要に応じて記憶部２４からＲＡＭ２２にロードされ、ロードされたコンピュータプログラムに基づいてＣＰＵ２１は転送装置２に必要な処理を実行する。
【００２０】
また転送装置２は、使用者が操作することによる各種の処理指示等の情報が入力されるキーボード又はポインティングデバイス等の入力部２５と、各種の情報を表示する液晶ディスプレイ等の表示部２６とを備えている。更に転送装置２は、転送装置２外の機器との間でデータを送受信するインタフェース部（転送手段）２７と、インターネット等の外部の通信ネットワークＮに接続された通信部２８とを備えている。
【００２１】
転送装置２は、音楽データを記録したＣＤ等の記録媒体をドライブ部２３で受け付け、記録媒体が記録する音楽データを読み出し、読み出した音楽データをＭＰ３ファイル等のデジタルデータへＣＰＵ２１で変換することができる。また転送装置２は、通信ネットワークＮに接続された図示しないサーバ装置から送信されたデジタルの音楽データを通信ネットワークＮを介して通信部２８で受信することができる。ＣＰＵ２１でデジタルデータへ変換した音楽データ又は通信部２８で受信したデジタルの音楽データは、記憶部２４が記憶する。携帯型音楽再生装置１のインタフェース部１７と転送装置２のインタフェース部２７とは互いにケーブルで接続可能な構成となっており、ケーブル及び互いのインタフェース部を介して、携帯型音楽再生装置１と転送装置２との間で音楽データ等のデータを送受信可能な構成となっている。なお、携帯型音楽再生装置１と転送装置２との間では、有線ではなく無線通信でデータを送受信可能な構成であってもよい。
【００２２】
図２は、携帯型音楽再生装置１の外観の例を示す模式図である。携帯型音楽再生装置１はディスプレイを備えておらず、全面が操作部１３となっている。操作部１３は、バックボタン３１、再生ボタン３２、スキップボタン３３、ストップボタン３４、音量ボタン３５を備えており、各ボタンを使用者が操作することにより、再生開始等の指示が入力される。また操作部１３は、使用者による押下の操作が可能である押下ボタン（スイッチ）４１，４２，４３，４４，４５を備えている。各押下ボタンには、夫々を識別するためのマークが付随しており、押下ボタン４１にはハートマーク、押下ボタン４２には三日月マーク、押下ボタン４３には太陽マーク、押下ボタン４４には雨雲マーク、押下ボタン４５にはフェイスマークが付随している。なお、本発明に係るスイッチとして押下ボタンではなく、接触スイッチ又はスライド式のスイッチ等のその他のスイッチであってもよい。
【００２３】
図３は、携帯型音楽再生装置１の記憶部１２が記憶しているデータの記憶構造を概念的に示す概念図である。記憶部１は、複数の音楽データを含むための音楽フォルダと、特定の音楽データを指定するリスト情報を含むためのリスト情報フォルダとを含んでいる。音楽フォルダは、アーティスト１，アーティスト２，…といった音楽のアーティスト別に区別された複数のフォルダを含み、各アーティストのフォルダは、アルバム１，アルバム２，…といった当該アーティストのアルバム別に区別されたフォルダを含んでいる。各アルバムのフォルダは、曲１，曲２，…といった当該アルバムに含まれる曲の音楽データを含んでいる。リスト情報フォルダは、一又は複数の特定の音楽データを指定したリスト情報を含んでいる。リスト情報は、特定の音楽データがどのフォルダに含まれているかを示す情報からなっている。なお、図３に示した音楽データの記憶構造は一例であって、音楽データが作成された日時を示すフォルダ又は音楽データのファイル形式を示すフォルダに含まれた構造等、その他の記憶構造で音楽データが記憶されていてもよい。
【００２４】
記憶部１２は、操作部１３が備える押下ボタン４１，４２，４３，４４，４５の夫々に対応させてリスト情報を記憶する構成となっており、リスト情報フォルダは、押下ボタン４１，４２，４３，４４，４５の夫々に対応したハートリスト情報，三日月リスト情報，太陽リスト情報，雨雲リスト情報，フェイスリスト情報を含んでいる。このようにして、記憶部１２は、本発明に係るリスト情報記憶手段として機能する。制御部１１は、使用者によって押下ボタン４１，４２，４３，４４，４５のいずれかが押下された場合に、押下された押下ボタンに対応させて記憶部１２が記憶しているリスト情報が指定する音楽データを、再生すべき音楽データとして設定する構成となっている。
【００２５】
次に、転送装置２から携帯型音楽再生装置１へ音楽データを転送する処理を説明する。図４は、携帯型音楽再生装置１へ音楽データを転送するために転送装置２が行う処理の手順を示すフローチャートである。転送装置２のＣＰＵ２１は、ＲＡＭ２２へロードしたコンピュータプログラムに基づいて以下の処理を実行する。
【００２６】
転送装置２は、デジタルデータへ変換した音楽データ又は外部から受信したデジタルの音楽データを記憶部２４で記憶している。表示部２６で表示された音楽データの情報を確認した使用者が入力部２５を操作して、記憶部２４で記憶している音楽データの内、携帯型音楽再生装置１へ転送すべき音楽データが含まれるドライブ又はフォルダを指定することにより、転送装置２は、転送すべき音楽データの候補の指定を入力される（Ｓ１１）。転送装置２のＣＰＵ２１は、指定された音楽データの形式が携帯型音楽再生装置１で再生可能な形式であるかのチェックを行う（Ｓ１２）。このとき、ＣＰＵ２１は、携帯型音楽再生装置１で再生可能な形式ではない音楽データを転送すべき音楽データの候補から除外する処理を行ってもよく、携帯型音楽再生装置１で再生可能な形式ではない音楽データを携帯型音楽再生装置１で再生可能な形式の音楽データへ変換する処理を行ってもよい。
【００２７】
ＣＰＵ２１は、次に、転送すべき各音楽データの音声波形に基づいて、曲の調子の明暗及び曲のテンポの遅速といった各音楽データの特徴を分析する（Ｓ１３）。このときＣＰＵ２１は、各音楽データに含まれる特定の周波数成分の振る舞い又は各周波数成分の強度比等に基づいて、各音楽データの特徴を分析する。ＣＰＵ２１は、次に、分析した特徴に応じた複数のグループのいずれかへ各音楽データを分類する（Ｓ１４）。
【００２８】
図５は、音楽データの分類例を示す概念図である。図中では、一の音楽データを点で示し、曲のテンポを横軸にとり、曲の調子を縦軸にとった二次元面内に、特徴に応じて音楽データを分布させている。曲の調子及び曲のテンポの分布を所定の閾値を境に分割することにより、各音楽データは、曲調が明るくてテンポが遅い曲のグループと、曲調が明るくてテンポが速い曲のグループと、曲調が暗くてテンポが遅い曲のグループと、曲調が暗くてテンポが速い曲のグループとに分類できる。
【００２９】
ＣＰＵ２１は、次に、各グループに分類された一又は複数の各音楽データを指定するリスト情報を、各グループについて作成する（Ｓ１５）。ここでＣＰＵ２１は、図５に示した４種類のグループに対応して４種類のリスト情報を作成する。転送装置２のインタフェース部２７と携帯型音楽再生装置１のインタフェース部１７とが接続された状態で、ＣＰＵ２１は、転送すべき音楽データ及び作成したリスト情報をインタフェース部２７に携帯型音楽再生装置１へ転送させ（Ｓ１６）、処理を終了する。
【００３０】
携帯型音楽再生装置１は、転送装置２から転送された音楽データ及びリスト情報をインタフェース部１７で受信する。携帯型音楽再生装置１は、受信した複数の音楽データを図３に示す如き記憶構造で記憶部１２に記憶する。また携帯型音楽再生装置１の制御部１１は、受信した複数のリスト情報の内、曲調が明るくてテンポが遅い曲のグループに分類された音楽データを指定するリスト情報をハートリスト情報として記憶部１２に記憶させる。同様にして、制御部１１は、曲調が暗くてテンポが速い曲のグループに分類された音楽データを指定するリスト情報を三日月リスト情報として、曲調が明るくてテンポが速い曲のグループに分類された音楽データを指定するリスト情報を太陽リスト情報として、曲調が暗くてテンポが遅い曲のグループに分類された音楽データを指定するリスト情報を雨雲リスト情報として記憶部１２に記憶させる。
【００３１】
以上の処理では、転送装置２が音楽データを自動で分類してリスト情報を作成する処理を示したが、転送装置２は、使用者が好みの音楽データを指定したリスト情報を作成することもできる。図６は、使用者の好みのリスト情報を携帯型音楽再生装置１へ転送するために転送装置２が行う処理の手順を示すフローチャートである。
【００３２】
表示部２６で表示された音楽データの情報を確認した使用者が入力部２５を操作することにより、記憶部２４で記憶している音楽データが含まれるフォルダの指定を入力される（Ｓ２１）。転送装置２のＣＰＵ２１は、指定されたフォルダに含まれる音楽データの形式が携帯型音楽再生装置１で再生可能な形式であるかのチェックを行い（Ｓ２２）、携帯型音楽再生装置１で再生可能であるので携帯型音楽再生装置１への転送が可能である音楽データの情報を表示部２６に表示する（Ｓ２３）。ＣＰＵ２１は、次に、使用者が入力部２５を操作して携帯型音楽再生装置１へ転送したいお好みの音楽データを個々に指定することによる、特定の音楽データの選択を入力される（Ｓ２４）。ＣＰＵ２１は、次に、選択された音楽データを指定するリスト情報を作成する（Ｓ２５）。転送装置２のインタフェース部２７と携帯型音楽再生装置１のインタフェース部１７とが接続された状態で、ＣＰＵ２１は、選択された音楽データ及び作成したリスト情報をインタフェース部２７に携帯型音楽再生装置１へ転送させ（Ｓ２６）、処理を終了する。
【００３３】
携帯型音楽再生装置１は、転送装置２から転送された音楽データ及びリスト情報をインタフェース部１７で受信する。制御部１１は、受信した複数の音楽データを図３に示す如き記憶構造で記憶部１２に記憶し、受信したリスト情報を、フェイスリスト情報として記憶部１２に記憶させる。
【００３４】
図７は、音楽を再生するために携帯型音楽再生装置１が行う処理の手順を示すフローチャートである。携帯型音楽再生装置１は、使用者によって携帯され、使用者が音楽を聴きたいときに操作される。携帯型音楽再生装置１の制御部１１は、押下ボタン４１，４２，４３，４４，４５のいずれかを使用者が押下する操作を待ち受けている（Ｓ３１）。押下ボタンが押下されない場合は（Ｓ３１：ＮＯ）、制御部１１は、押下ボタンでの押下の待ち受けを続行する。いずれかの押下ボタンが押下された場合は（Ｓ３１：ＹＥＳ）、制御部１１は、押下ボタン４１，４２，４３，４４，４５の内で使用者に押下された押下ボタンに対応する正常なリスト情報を記憶部１２が記憶しているか否かを判定する（Ｓ３２）。押下された押下ボタンに対応するリスト情報を記憶部１２が記憶していない場合、又は記憶部１２が記憶しているリスト情報に不備がある場合は（Ｓ３２：ＮＯ）、制御部１１は、音楽の再生ができないことを使用者に知らせるためのエラー音を出力部１５に出力させ（Ｓ３３）、処理を終了する。押下された押下ボタンに対応する正常なリスト情報を記憶部１２が記憶している場合は（Ｓ３２：ＹＥＳ）、制御部１１は、押下された押下ボタンに対応して記憶部１２に記憶しているリスト情報に従って、当該リスト情報が指定する音楽データを再生すべき音楽データとして設定する（Ｓ３４）。
【００３５】
制御部１１は、次に、使用者が再生ボタン３２を押下することによる、音楽の再生開始の指示の入力を待ち受ける（Ｓ３５）。再生開始の指示の入力がない場合は（Ｓ３５：ＮＯ）、制御部１１は、再生開始の指示の入力の待ち受けを続行する。音楽の再生開始の指示が入力された場合は（Ｓ３５：ＹＥＳ）、制御部１１は、再生すべく設定したリスト情報が指定する一又は複数の音楽データを、データ処理部１４及び出力部１５で順次再生させ（Ｓ３６）、処理を終了する。なお、再生ボタン３１による再生開始の指示を受け付けることなく、使用者によって押下ボタンが押下された段階で、押下された押下ボタンに対応するリスト情報が指定する音楽データの再生を直ちに開始する処理を行ってもよい。また、音楽の再生の際には、リスト情報が指定する一又は複数の音楽データの中からランダムに音楽データを選択しながら順次再生する処理を行ってもよい。
【００３６】
以上の処理により、例えば使用者が押下ボタン４３を押下した場合には、押下ボタン４３に対応する太陽リスト情報が指定する曲調が明るくてテンポが速い曲の音楽データが再生され、例えば使用者が押下ボタン４４を押下した場合には、押下ボタン４４に対応する雨雲リスト情報が指定する曲調が暗くてテンポが遅い曲の音楽データが再生される。従って使用者は、気分が陽気なときには、押下ボタン４３を押下することによって陽気な気分にあった曲調が明るくてテンポが速い曲を鑑賞することができ、気分が沈んでいるときには、押下ボタン４４を押下することによって沈んだ気分にあった曲調が暗くてテンポが遅い曲を鑑賞することができる。このようにして本発明では、使用者の気分又は状況に応じた音楽を容易な操作で選曲して再生することが可能となる。
【００３７】
また本発明においては、使用者が押下ボタン４５を押下した場合には、押下ボタン４５に対応するフェイスリスト情報が指定する音楽データが再生される。フェイスリスト情報が指定する音楽データは、使用者が個々に選択しておいた音楽データであるので、使用者は好みの音楽データを予め選択しておくことで、好みの音楽を容易な操作で選曲して鑑賞することができる。
【００３８】
以上詳述した如く、本発明の携帯型音楽再生装置１は、使用者がいずれかの押下ボタンを押下することで、ディスプレイを備えることなしに使用者の気分又は状況に応じた音楽を容易な操作で再生することが可能となる。ディスプレイを備える必要がないので、携帯型音楽再生装置１の小型軽量化、及びコストの低下を実現することができる。またディスプレイを備えた携帯型音楽再生装置に比べて、本発明の携帯型音楽再生装置１は、ディスプレイを駆動するための電力が削減されるので、電力容量を下げたより小型又は低コストな電池を利用することによって更なる小型軽量化又はコストの低下を実現することもできる。またディスプレイを駆動するための電力が削減されることによって、携帯型音楽再生装置１の動作時間を従来よりも長時間にすることもできる。更に、本発明の携帯型音楽再生装置１は、選曲のための操作が容易であるので、電子機器の操作に不慣れな使用者でも操作にストレスを覚えることなく使用することができる。
【００３９】
なお、本実施の形態においては、携帯型音楽再生装置１はハードディスク又は半導体メモリ等でなる記憶部１２を内部に備えた形態を示しているが、これに限るものではなく、携帯型音楽再生装置１はメモリカード等の着脱可能な記憶媒体を記憶部１２として利用する形態であってもよい。また本実施の形態においては、音楽データの転送時には音楽データ及びリスト情報を転送装置２から携帯型音楽再生装置１へ転送する処理を行う形態を示したが、転送時に既に携帯型音楽再生装置１の記憶部が音楽データ及びリスト情報を記憶している場合には、内容が等しいデータは転送せずに内容が異なるデータのみを転送する処理を行う形態であってもよい。
【図面の簡単な説明】
【００４０】
【図１】本発明の携帯型音楽再生装置を含む本発明のデータ転送システムの内部構成を示すブロック図である。
【図２】携帯型音楽再生装置の外観の例を示す模式図である。
【図３】携帯型音楽再生装置の記憶部が記憶しているデータの記憶構造を概念的に示す概念図である。
【図４】携帯型音楽再生装置へ音楽データを転送するために転送装置が行う処理の手順を示すフローチャートである。
【図５】音楽データの分類例を示す概念図である。
【図６】使用者の好みのリスト情報を携帯型音楽再生装置へ転送するために転送装置２が行う処理の手順を示すフローチャートである。
【図７】音楽を再生するために携帯型音楽再生装置が行う処理の手順を示すフローチャートである。
【符号の説明】
【００４１】
１  携帯型音楽再生装置
１１  制御部
１２  記憶部（記憶手段、リスト情報記憶手段）
１３  操作部
１４  データ処理部（再生手段）
１５  出力部（再生手段）
２  転送装置
２１  ＣＰＵ
２４  記憶部
２７  インタフェース部（転送手段）
４１，４２，４３，４４，４５  押下ボタン（スイッチ）
【図１】
2006244651.tif 000003
【図２】
2006244651.tif 000004
【図３】
2006244651.tif 000005
【図４】
2006244651.tif 000006
【図５】
2006244651.tif 000007
【図６】
2006244651.tif 000008
【図７】
2006244651.tif 000009